(57)【要約】【課題】ローリングシャッタの重量を増加せず既設のシャッタ座板部３を強力に施錠でき平常時に通路を邪魔しない施錠装置を提供する。【解決手段】シリンダ錠３４のロッド３３の挿通孔１１が先端部に形成された連結部材１０が手動で回動起立可能に枢着１５内装された埋め込みボックス７が前記起立連結部材の回動面をシャッタ座板５と平行又は直角に埋設設置される。このボックス位置に対応する座板直立部４に、外面側に舌片状平板部２２が突出されて連結部材挿入口２３が穿設された台座金具２０がボルト締結２６され、シリンダ錠３４を内装した円筒状ブロック３０が起立連結部材の先端部を受容して台座金具の平板部に定置され、シリンダ錠の突き出しロッド３３が連結部材のロッド挿通孔１１に挿入されて施錠される。【選択図】  図８
2004250979.tif 000002
【特許請求の範囲】
【請求項１】
シリンダ錠の突出しロッド挿通孔が先端部に形成された連結部材が手動で回動起立可能に枢着内装された埋め込みボックスをシャッタ座板の直下に埋設設置すると共に前記シャッタ座板の前記起立連結部材の対応位置に連結部材挿入口を穿設して前記連結部材の先端部を突出せしめ、施錠時に前記シリンダ錠の突出しロッドが前記起立連結部材のロッド挿通孔に挿入されるローリングシャッタの施錠装置。
【請求項２】
シリンダ錠の突出しロッド挿通孔が先端部に形成された連結部材が手動で回動起立可能に枢着内装された埋め込みボックスが前記起立連結部材の回動面をシャッタ座板と直角になるように埋設設置されると共に、前記埋設位置に対応する座板直立部にボルト締結されて外面側に舌片状に突出された平板部に起立連結部材挿入口が形成された台座金具とからなり、施錠時に前記シリンダ錠の突出しロッドが前記起立連結部材のロッド挿通孔に挿入されるローリングシャッタの施錠装置。
【請求項３】
連結部材挿入口の両側平板部に平行リブが形成されると共に該リブに連結部材のシリンダ錠の突出しロッド挿通孔に対応位置して前記ロッドの定置用凹部又はロッド案内口を設けてなる請求項２記載のローリングシャッタの施錠装置。
【請求項４】
シリンダ錠の突出しロッド挿通孔が先端部に形成された連結部材が手動で回動起立可能に枢着内装された埋め込みボックスがシャッタ座板の近傍又は直下に埋設設置されると共に前記埋設位置に対応する座板直立部にボルト締結されて外面側に舌片状に突出された平板部に起立連結部材挿入口が形成された台座金具と、前記起立連結部材の先端部を覆い前記台座金具の平板部に定置されシリンダ錠を内装した円筒状ブロックからなり、施錠時に前記シリンダ錠の突出しロッドが前記起立連結部材のロッド挿通孔に挿入されるローリングシャッタの施錠装置。
【請求項５】
台座金具の平板部と円筒状ブロックの底面に１以上の係合段部が設けられてなる請求項４記載の施錠装置。
【請求項６】
起立連結部材が断面長方形鋼材で構成され、平常時においてその短辺側側面が埋め込みボックスの表面板と同一面になって倒伏するようにボックス本体に枢着されてなる請求項１乃至５いずれか記載の施錠装置。
【発明の詳細な説明】
【０００１】
【発明の属する技術分野】
この発明は、ローリングシャッタの防犯用強力施錠装置に関する。
【０００２】
【従来の技術】
ローリングシャッタは、開閉操作を容易にする目的で軽量に製作されていて、その座板は、折り曲げ成形によって外見上の厚さを備えているだけであって機械的強度が弱く、バールその他の工具で容易に変形し破壊され、所謂「シャッタ破り」が頻発して防犯上問題になっている。この座板を補強するため、座板の外面側にアングル鋼材などを溶接することが考えられるが、シャッタ重量が重くなる他、座板が前方に傾いて昇降動作に支障をきたす。
【０００３】
【発明が解決しようとする課題】
本発明は、既設のシャッタ座板を重量化せずに強固な施錠ができ、容易に破壊されない堅牢な施錠装置を提供するものであり、しかも常時は床面上に存在せず通行を邪魔しない施錠装置を提供するものである。
【０００４】
【課題を解決するための手段】
シャッタの態様は様々であって比較的小型のものは、座板に直接連結部材挿通用の穴を穿設することによって本発明施錠装置を適用できる。
即ち、本発明の第１の施錠装置は、シリンダ錠のロッド挿通孔が先端部に形成された連結部材が手動のよって回動起立可能に枢着内装された埋め込みボックスをシャッタ座板の直下に埋設設置すると共に前記シャッタ座板の前記起立連結部材の対応位置に連結部材挿入口を穿設して前記連結部材の先端部を突出せしめ、施錠時に前記シリンダ錠の突き出しロッドが前記起立連結部材のロッド挿通孔に挿入されるものであり、平常時において前記連結部材は埋め込みボックス表面板と同一面に回動倒伏されるものである。
この場合において、座板に穿設する挿入孔の向きと埋め込みボックスの向きは、座板と並行又は直角のいずれでもよく、シリンダ錠は各種のものが使用できる。
【０００５】
第２の施錠装置は、堅牢な南京錠に対応させるものであって、シリンダ錠のロッド挿通孔が先端部に形成された連結部材が手動で回動起立可能に枢着内装された埋め込みボックスが前記起立連結部材の回動面をシャッタ座板と直角になるように埋設設置されると共に、埋設位置に対応する座板直立部にボルト締結されて外面側に舌片状に突出された平板部に起立連結部材挿入口が形成された台座金具とからなり、施錠時に前記シリンダ錠の突き出しロッドが起立連結部材のロッド挿通孔に挿入されるものである。
台座金具表面には金具の強度を向上させるため、挿入口を挟んで補強用の２条の平行リブを形成するのが好ましく、この場合、平行リブ上面にロッドの定置用凹部を形成し又はリブにロッド案内口を穿設する。
【０００６】
第３の施錠装置は、シリンダ錠のロッド挿通孔が先端部に形成された連結部材が手動で回動起立可能に枢着内装された埋め込みボックスが前記起立連結部材の回動面をシャッタ座板と平行又は直角に位置して埋設設置されると共に、前記埋設位置に対応する座板直立部にボルト締結されて外面側に舌片状に突出された平板部に起立連結部材挿入口が形成された台座金具と、前記起立連結部材の先端部を覆い前記台座金具の平板部に定置されるシリンダ錠を内装した円筒状ブロックからなり、施錠時に前記シリンダ錠の突き出しロッドが前記起立連結部材のロッド挿通孔に挿入されるものである。
円筒状ブロックの底面に段部が形成されている場合は、台座金具上面にこれと対応する段部を設けることによって外部からの抉じ開けを防止でき一層効果がある。
【０００７】
上記本発明において、回動起立する連結部材は、断面長方形の鋼材で製作され倒伏時、その側面が表面板と同一面になるようにボックス本体に枢着される。
また、台座金具は、アルミ合金その他の丈夫な軽合金製として座板直立部の裏面側から片締めボルトによって固定するのが防犯上好ましい。
本発明施錠装置は、座板のどこにでも設置することができ又上記いずれの施錠装置もシャッタの左右両側に少なくとも各１個設けることによって仮令中央部が抉られても強固に対抗できる。
【０００８】
【発明の実施の形態】
１はシャッタ、２は昇降ガイド、３は座板部、４は直立部、５は座板、６は施錠装置、７は埋め込みボックスであって座板の下方地面Ｇに埋設される。
８は、鋳造又は板加工によって造られたボックス本体、９はフランジ、１０は断面長方形の回動起立連結部材であって、先端側にロッド挿通孔１１が形成され基端側に切欠段部１２が形成されて短辺側側面１３が表面板１４と同一面になるように枢軸１５によってボックス本体に枢着されている。
１６は、表面板に穿設した連結部材回動用の長方形穴であって、表面板基部１７に回動時の突き下げ孔１８が穿設され、基部の下面は連結部材倒伏時に連結部材の段部１２と当接してストッパとなる。
第１の発明においては、連結部材の先端部１０Ａが起立状態で座板５に穿設した長方形挿入孔（図示せず）に嵌入され、ロッド挿通孔１１にシリンダ錠のロッドが挿通されて施錠される。
【０００９】
座板に台座金具を取り付けることによって更に好適なを施錠装置が提供できる。
図５、図６に示す台座金具２０は、座板部の直立部４に固定するための取付部２１と連結部材の挿入口２３を形成した平板部２２を備えてＬ型に構成されている。２４は、挿入口の両側に位置して平板部上に設けられた補強用平行リブ、２５はリブに貫設したシリンダ錠のロッド案内口又は受け溝、２６は固定用ボルト孔である。
この台座金具を用いる場合、埋め込みボックスは座板と直角に埋設する。
【００１０】
図７は、更に改良された台座金具であって、底面に段部が形成されている円筒状ブロックシリンダと対応して堅牢な施錠装置が提供される。
２７は、両側の補強リブ、２８は、平板部２２の前部に設けた落とし込み段部であって、シリンダブロック３０の底面に形成した段部３１と係合する。
段部２８、３１は複数形成することが可能であって互いに係合するように対応していればどこに設けてもよい。
３２は、連結部材の先端部１０Ａを受容する繰り抜き凹部、３３はシリンダ錠の突き出しロッドであり、連結部材のロッド挿通孔１１を貫通して施錠される。
シリンダ錠３４の構造説明は割愛する。
台座金具の連結部材挿入口と埋め込みボックス及びシリンダ錠の座板に対する向きは平行でも直角でも任意である。
【００１１】
本発明施錠装置は、バールによる抉りやハンマーによる衝撃など外部からの機械的破壊手段によっては容易に破壊されることはなく、シャッター破りなどには十分対抗できる。
なお、左右の埋め込みボックスを地中において連結するなど抜き上げ防止手段を講じれば一層強固になる。
【図面の簡単な説明】
【図１】本発明施錠装置が設置されたシャッタの部分正面図
【図２】埋め込みボックスの縦断正面図
【図３】同側面図
【図４】表面板の上面図
【図５】台座金具の取付け例を示す側面図
【図６】台座金具の平面図
【図７】他の台座金具の斜視図
【図８】円筒状シリンダブロックの施錠を示す側面図
【図９】取付関係を９０°変更した場合の側面図
【符号の説明】
３      座板部
４      直立部
５      座板
６      施錠装置
７      埋め込みボックス
８      ボックス本体
１０    回動起立連結部材
１１    ロッド挿通孔
１２    切欠段部
１３    短辺側側面
１４    表面板
１５    枢軸
１６    連結部材の起立穴
１７    基部
１８    突き下げ孔
２０    台座金具
２１    取付部
２２    平板部
２３    挿入口
２４    平行リブ
２５    受け溝又は案内口
２６    ボルト孔
２８    段部
３０    シリンダブロック
３１    段部
３２    凹部
３３    突出しロッド
【図１】
2004250979.tif 000003
【図２】
2004250979.tif 000004
【図３】
2004250979.tif 000005
【図４】
2004250979.tif 000006
【図５】
2004250979.tif 000007
【図６】
2004250979.tif 000008
【図７】
2004250979.tif 000009
【図８】
2004250979.tif 000010
【図９】
2004250979.tif 000011